(57)【要約】【課題】黒板表面にプロジェクターからの投写を可能にするプロジェクター固定金具を既存黒板上面に強固に固定し、また、プロジェクター使用時の振動を抑えることで映像の揺れを防止する機構を持つプロジェクター固定機構を提供することを課題とする。【解決手段】既存黒板上面及び下面の横桟を貫通する穴を空け、その穴に通した寸切りボルに、プロジェクター固定金具及び振動防止金具を黒板上面で固定し、前記プロジェクター固定金具にプロジェクター及び壁掛け金具を取付けることで、黒板表面に投写が可能となる。【選択図】図１
2015118302.tif 000002
【特許請求の範囲】
【請求項１】
壁面に固定されている既存黒板の上面及び下面の横桟に貫通する穴を、プロジェクター固定金具を取付ける位置の差込み孔の位置に空け、前記既存黒板と前記プロジェクター固定金物を固定するために必要な長さの寸切りボルトを前記既存黒板の上面または下面から前記既存黒板の上面に前記寸切りボルトが出るように貫通させ、前記寸切りボルトに、前記プロジェクター固定金具の前記差込み孔に通し、前記既存黒板の下面及びプロジェクター固定金物の上端部の２ヶ所及び下端部を、ナットで固定し、前記寸切りボルトの最終端に袋ナットを取付けることで、前記プロジェクター固定金具を固定し、前記プロジェクター固定金具にプロジェクター及び壁掛け金具を取付けることでなるプロジェクター一体型黒板。
【請求項２】
前記寸切りボルトを分割し、分割した前記寸切りボルトをジョイントナットで接続した前記寸切りボルトを使用することでなる請求項１のプロジェクター一体型黒板。
【請求項３】
前記プロジェクター固定金具の差込み孔の外側に、振動防止金具を取付けたことでなる請求項１または請求項２のプロジェクター一体型黒板。
【発明の詳細な説明】
【技術分野】
【０００１】
本発明は、黒板上面にプロジェクターを固定する機構に関するものである。
【背景技術】
【０００２】
ボード型やTV型の電子黒板の普及に伴い、電子黒板機能を付加したプロジェクターが登場し、ボード型、ＴＶ型の電子黒板より、安価で電子黒板を導入できるため、電子黒板機能付プロジェクターの需要が高まっている。
【０００３】
ボード型やＴＶ型の電子黒板は、本体が高価であり、また、使用するには、スタンドなどが必要となるため、コストアップに繋がる。
【０００４】
既存の学校に新たにプロジェクターを設置する方法として、壁面に固定する方法または台の上に平置きにして使用する方法が知られている。壁面への固定には、壁掛け金具などの専用金具があり、専用金具を使用することで、プロジェクターを壁面に取付け可能となり、取付けられた状態でプロジェクターの投写距離や投写映像の調整ができるため、専用金具を使用した設置が望ましい。
【０００５】
しかし、壁掛け金具を設置する場合、壁面に十分な強度が必要となり、壁面の構造、材質、強度によっては、壁掛け金具の取付けが行えない場合がある。
【０００６】
壁の下地は、外部からはどのような素材のものが、どのような間隔で設置されているのか分からないため、プロジェクターの設置位置に壁の下地があるとは限らない為、壁掛け金具の取付け作業は困難である。
【０００７】
一般的な黒板の固定方法として、ビスなどで壁面に固定した複数のＬ型アングルが黒板上面及び下面を挟み込み、ビスなどで、Ｌ型アングルと黒板を固定する方法が知られているが、固定方法は共通ではなく、様々な方法で固定されている。
【０００８】
既存の黒板に、黒板の高さ程度の長さの寸切りボルトを貫通させる場合、床や天井に接触し、床や天井を破損させてしまう。
【発明の概要】
【発明が解決しようとする課題】
【０００９】
数キロあるプロジェクターと壁掛け金具を強固に固定できるだけの強度が壁面に必要となるため、ＬＧＳなどの下地に固定する必要があり、ＬＧＳなどの下地の設置間隔は、学校によって異なるため、ＬＧＳなどの下地を探すには手間と時間がかかり、また、プロジェクターの設置場所にＬＧＳなどの下地があるとは限らない。また、既存の学校で壁面に十分な強度がない場合は、壁掛け金具の設置が行えない。
【００１０】
平置きの場合、プロジェクターを設置するためのスペースの確保やプロジェクターより前にある障害物となる机などの移動や映像調整が必要となるので手間と時間がかかる。
【００１１】
約１６００ｍｍの寸切りボルトを使用する場合、既存黒板と床や天井に十分なスペースが無く、床や天井、蛍光灯などに接触し、破損する可能性が高いため、取付け作業の効率が悪くなってしまう。
【００１２】
黒板の取付け方法は、様々な方法で取付けられており、黒板を傷付けることなく容易に取り外すことが困難な場合があるなど、黒板の取り外しには熟練した技術が必要となる。
【００１３】
新規の黒板上部に固定する方法は、様々な方法が考えられ、且つ容易に施工できるが、新規で黒板とプロジェクターを設置するのは、コストアップに繋がる。
【課題を解決するための手段】
【００１４】
ボルト及びナットで壁掛け金具を固定するための壁掛け金具取付け孔をプロジェクター固定金具に設けることで、壁掛け金具を取付けることができるため、投写距離調整や映像調整ができる。壁掛け金具取付け孔の位置及び数は、使用する壁掛け金具によって違うため、使用する壁掛け金具に合わせて壁掛け金具取付け孔をプロジェクター固定金具に設ける。
【００１５】
使用する全長の寸切りボルトを略２分の１で分割した寸切りボルトをジョイントナットで接続して使用する。
【００１６】
黒板を上下に貫通して取付けた寸切りボルトに、プロジェクター固定金具及び振動防止金具を固定することで、黒板上面にプロジェクターを設置することが可能となる。
【００１７】
振動防止金具を取付けることで、黒板の板書や電子黒板操作時に起こる振動を抑えることができる。また、振動防止金具をプロジェクター固定金具の外側に取付けることで、黒板を固定しているＬ型アングル及びＬ型アングルと黒板を固定しているビスに干渉することなく、水平にプロジェクター固定金具を取付けることが可能となる。
【００１８】
プロジェクター固定金具の形状は、使用するプロジェクター及び壁掛け金具によって異なるため、プロジェクター固定金具の形状は、使用するプロジェクター及び壁掛け金具に最適な形状で使用される。
【００１９】
プロジェクター固定金具にカバーを取付けることで、寸切りボルト及びジョイントナットなどの部品が見えなくなり、また、配線処理も行い易くなるため、カバーを取付けるのが好ましい。また、カバーの形状、大きさは、使用するプロジェクター固定金具によって最適な形状、大きさのカバーを取付ける。
【発明の効果】
【００２０】
本発明は、壁面に固定されている既存黒板に取付けを行うため、天井や壁面の構造、強度に関係なく、強固にプロジェクター固定金具を取付けることができるため、数キロあるプロジェクターと壁掛け金具を取付けることができる。
【００２１】
プロジェクターメーカーが提供している壁掛け金物を使用できるため、投写距離及び投写映像の調整を行うことができる。
【００２２】
壁面の強度のある下地を探す手間や、下地がない場合に必要な補強材の準備と取付け工事の必要がないため、作業時間の短縮及びコストダウンに繋がる。
【００２３】
振動防止金具がない場合、板書や電子黒板機能使用のため黒板面で操作を行うと、振動が起こり、投写画面を揺らすことがあるため、振動を軽減する振動防止金具を取付けることで、投写画面の揺れを軽減することができる。
【００２４】
振動防止金具をプロジェクター固定金具の外側に取付けることで、黒板を固定しているＬ型金物及びビスがプロジェクター固定金具に干渉することなくプロジェクター固定金具を水平に取付けることができる。
【００２５】
必要な長さの寸切りボルトを分割し、ジョイントナットで接続することで、必要となる長さを損なうこともなく、また、寸切りボルトの長さが短くなっているので、床や天井、蛍光灯などに接触する危険性が軽減されるので、搬入及び取付け作業の効率アップに繋がる。
【図面の簡単な説明】
【００２６】
【図１】本発明によるプロジェクター固定金物を取付けた全体図を示す。
【図２】本発明によるプロジェクター固定金具にプロジェクター及び壁掛け金具を取付けた前面図である。
【図３】本発明によるプロジェクター固定金具にプロジェクター及び壁掛け金具を取付けた側面図である。
【図４】プロジェクター固定金具及び振動防止金具の斜視図である。
【図５】プロジェクター固定金具の取付け例を示す背面図である。
【発明を実施するための形態】
【００２７】
プロジェクター固定金具１には、プロジェクター及び壁掛け金具８を取付けるための、壁掛け金具取付け孔１３を設けている。壁掛け金具取付け孔１３の位置は、使用するプロジェクター及び壁掛け金具８によって異なる。
【００２８】
既存黒板１２の上面及び下面の横桟９に、プロジェクター固定金物１を取付ける場所の差込み孔６の位置に、横桟９を貫通する穴を空ける。
【００２９】
寸切りボルト３Ｂの片側端には、袋ナット５Ｂを取付け可能な長さを残してナット４Ｄを取付け、寸切りボルト３Ａの片側端にジョイントナット１１を半分程度まで締め込む。
【００３０】
既存黒板１２の下面に空けられた穴に、ナット４Ｄを取付けた側を下にして寸切りボルト３Ｂを差込み、既存黒板１２の上面に空けられた穴にジョイントナット１１を取付けた側を下にして寸切りボルト３Aに差込み、寸切りボルトＡと寸切りボルト３Ｂをジョイントナット１１で接続する。
【００３１】
既存黒板１２上部から出ている寸切りボルト３Ａを振動防止金具２の下端部の差込み孔６に差し込み、プロジェクター固定金具１の下端部の差込み孔６に差し、ナット４Ｂ及びナット４Ｃを取付け、寸切りボルト３Ａをプロジェクター固定金具１の上端部の差込み孔６に差し、振動防止金具２に差し込み、寸切りボルト３Ａにナット４Ａを取付ける。ナット４Ｃを下方向に締め込み、ナット４Ｂを上方向に締め込み、ナット４Ａを下方向に締め込み、固定する。寸切りボルト３Ａ及び３Ｂの最終端に袋ナット５を取付け、締め込む。
【００３２】
既存黒板１２上面に固定されたプロジェクター固定金具１に、プロジェクター及び壁面固定金具８を取付ける。
【００３３】
壁掛け金具の大きさは、使用するメーカー及び機種によって違っているので、プロジェクター固定金物の形状、大きさは、使用する壁掛け金具によって、最適な形状、大きさのプロジェクター固定金具になる。また、プロジェクター固定金具にカバーを取付けると、寸切りボルトなどの部品が見えなくなり、また、配線処理もしやすくなり、見た目を損なうことがない。
【００３４】
使用する寸切りボルトの全長は、既存黒板１２の高さ及び使用するプロジェクターによって必要な全長が変動するので、取付けを行う既存黒板１２の高さ及び使用するプロジェクターの投写距離から最適な長さの寸切りボルトを使用する。最適な長さの寸切りボルトを略２分の１分割し、寸切りボルト３Ａ及び３Ｂとして使用する。また、寸切りボルトを分割せずに取付け可能な場合は、分割せずに取付けてもよい。
【００３５】
スプリングワッシャ、平座金、ねじロック材などを使用し、ナットの緩み止めを行うことが好ましい。
【符号の説明】
【００３６】
１      プロジェクター固定金具
２      振動防止金具
３Ａ    寸切りボルト
３Ｂ    寸切りボルト
４A    ナット
４Ｂ    ナット
４Ｃ    ナット
４Ｄ    ナット
５Ａ    袋ナット
５Ｂ    袋ナット
６      差込み孔
７      Ｌ型アングル及びビス
８      プロジェクター及び壁掛け金具
９      横桟
１０      縦桟
１１      ジョイントナット
１２      既存黒板
１３      壁掛け金具取付け孔
【図１】
2015118302.tif 000003
【図２】
2015118302.tif 000004
【図３】
2015118302.tif 000005
【図４】
2015118302.tif 000006
【図５】
2015118302.tif 000007